(57)【要約】【課題】ドラムのドラム枠と組合せ、ドラムを電子ドラムに改装可能である電子式のドラムパッドを提供する。【解決手段】台座１は、上表面１０の辺縁部から上に突出している枠縁１１、および、下表面の辺縁部から下に突き出ている枠体を有し、枠体がスナップフックによってドラムのドラム枠に固定されており、第一電子部材用溝１３および第二電子部材用溝１４を有する。打撃区ブロック３０は、台座１の中心に設置されている。第一トリガー４０は、台座１の第一電子部材用溝１３の中に設置されており、打撃区ブロック３０の底部に位置し、打撃区ブロック３０の振動を検出可能である。第二トリガーは、台座１の第二電子部材用溝１４の中に設置されており、枠縁１１の振動を検出可能である。第二電子部材用溝１４は枠縁１１の近傍に設置されている。【選択図】図１
0003192610.tif 000002
【実用新案登録請求の範囲】
【請求項１】
上表面の辺縁部から上に突出している枠縁、および、下表面の辺縁部から下に突き出ている枠体を有し、枠体がスナップフックによってドラムのドラム枠に固定されており、第一電子部材用溝および第二電子部材用溝を有する一つの台座と、
前記台座の中心に設置されている一つの打撃区ブロックと、
前記台座の前記第一電子部材用溝の中に設置されており、前記打撃区ブロックの底部に位置し、前記打撃区ブロックの振動を検出可能である一つの第一トリガーと、
前記台座の前記第二電子部材用溝の中に設置されており、前記枠縁の振動を検出可能である一つの第二トリガーと、を備え、
前記第二電子部材用溝は前記枠縁の近傍に設置されていることを特徴とする電子式のドラムパッド。
【請求項２】
前記台座は、ゴム、あるいはシリカゲル材料で一体に形成されていることを特徴とする請求項１に記載の電子式のドラムパッド。
【請求項３】
前記台座は、上表面の中心に一つの中心凹部が設置されており、
前記打撃区ブロックは、前記中心凹部の中に設置されており、
前記第一電子部材用溝は、前記中心凹部の底部に設置されていることを特徴とする請求項２に記載の電子式のドラムパッド。
【請求項４】
前記第二電子部材用溝は、前記第二トリガーを覆う遮蔽物が中に設けられていることを特徴とする請求項３に記載の電子式のドラムパッド。
【請求項５】
前記打撃区ブロックは、前記中心凹部の中に充填されており、上表面が前記台座の上表面と同一平面上に位置することを特徴とする請求項３に記載の電子式のドラムパッド。
【請求項６】
前記打撃区ブロックは、ゴム、あるいはシリカゲル材料で製造されていることを特徴とする請求項１に記載の電子式のドラムパッド。
【請求項７】
前記枠体と前記台座の下表面と隣接する片隅に形成されている一つの補強部をさらに備えることを特徴とする請求項２に記載の電子式のドラムパッド。
【請求項８】
前記台座の側面に固定されており、一つのコンセント、一つの第一配線溝及び前記台座の下表面に形成されている一つの第二配線溝を有する一つのコンセントボックスをさらに備え、
前記第一トリガー及び前記第二トリガーの配線は、前記第一配線溝及び前記第二配線溝を経由して前記コンセントに接続されていることを特徴とする請求項１に記載の電子式のドラムパッド。
【請求項９】
前記台座は、一つの第一座体と一つの第二座体とが複数の螺子により結合することで形成されていることを特徴とする請求項１に記載の電子式のドラムパッド。
【請求項１０】
前記打撃区ブロックは、前記第一座体の中心に設置されており、
前記枠縁は、前記第一座体の上表面の周縁部により形成されていることを特徴とする請求項９に記載の電子式のドラムパッド。
【請求項１１】
前記第一電子部材用溝は、前記第二座体の上表面の中心に形成されており、
前記第二電子部材用溝は、前記第二座体の上表面における周縁部の近傍に形成されており、
前記枠体は、前記第二座体の下表面の周縁部に形成されていることを特徴とする請求項１０に記載の電子式のドラムパッド。
【請求項１２】
前記台座の側面に固定されており、一つのコンセント、一つの第一配線溝及び前記台座の下表面に形成されている一つの第二配線溝を有する一つのコンセントボックスをさらに備え、
前記第二座体は、上表面における周縁部の近傍に一つのコンセント溝が形成されており、
前記コンセントは、前記コンセント溝の中に設置されており、
前記コンセント溝及び前記第一電子部材用溝は第二配線溝により繋がっており、
前記第一トリガー及び前記第二トリガーの配線は、前記第一配線溝及び前記第二配線溝を経由して前記コンセントに接続されていることを特徴とする請求項１１に記載の電子式のドラムパッド。
【考案の詳細な説明】
【技術分野】
【０００１】
本考案は、打楽器に関し、特に電子式のドラムパッドに関する。
【背景技術】
【０００２】
ドラムセットは、ドラムキットとも言い、異なる種類、音色を有する手打楽器と足打楽器の組合せの楽器であり、様々な種類の音楽に応用されている。電子ドラムは、電子シンセサイザーによってドラム音を出す電子式打楽器であり、主に電子シンセサイザー及び打撃面の二つの部分を含む。電子ドラムは、外観がドラムに似ている。しがしながら、体積及び鼓膜がドラムよりかなり小さい。
【考案の概要】
【考案が解決しようとする課題】
【０００３】
音楽種類及び演奏種類の多元化のため、ドラマーはドラム及び電子ドラムを通じる必要がある。しがしながら、演奏の場合、あるいは練習環境において、同時にドラム及び電子ドラムを設置すると、相当な空間が占められている。また、ドラムの大、中、小ドラム及びシンバルの位置及び高度は、電子ドラムと全て同じではない。再び手ごたえを得るために、ドラムを通じるドラマーでも、時間を掛け電子ドラムのドラム及びシンバルの位置に適応する必要がある。従って、ドラムを直接に電子ドラムに改装すると、ドラマーの適応性の問題を解決するだけではなく、二つのセットのドラムが占める空間を減少可能である。
【０００４】
本考案が解決すべき課題は、どうやってドラムを電子ドラムに改装することにある。
本考案の目的は、ドラムのドラム枠と組合せ、ドラムを電子ドラムに改装可能である電子式のドラムパッドを提供することにある。
【課題を解決するための手段】
【０００５】
本考案による電子式のドラムパッドは、台座、打撃区ブロック、第一トリガー、および第二トリガーを備える。台座は、上表面の辺縁部から上に突出している枠縁、および、下表面の辺縁部から下に突き出ている枠体を有し、枠体がスナップフックによってドラムのドラム枠に固定されており、第一電子部材用溝および第二電子部材用溝を有する。
打撃区ブロックは、台座の中心に設置されている。
第一トリガーは、台座の第一電子部材用溝の中に設置されており、打撃区ブロックの底部に位置し、打撃区ブロックの振動を検出可能である。
第二トリガーは、台座の第二電子部材用溝の中に設置されており、枠縁の振動を検出可能である。第二電子部材用溝は枠縁の近傍に設置されている。
【０００６】
台座は、枠体によりドラムのドラム枠と組み合わせる。台座の下表面とドラムの鼓膜と間には所定距離が設定されている。ドラムスティックで打撃区ブロック、あるいは枠縁を打つ時、第一トリガーが打撃区ブロックの振動を検出する一方、第二トリガーが枠縁の振動を検出する。第一トリガー及び第二トリガーは、振動信号をトリガーモジュールに出力する。トリガーモジュールは、信号を設定されたアナログの鼓膜の音、あるいはドラム枠の音に転換し、またスピーカー、あるいはイヤホーンによってアナログ音色を出力する。
台座及び打撃区ブロックの材料は、ゴム、あるいはシリカゲルである。
【０００７】
本考案の効果は以下の通りである。
電子式のドラムパッドは、直接にドラムのドラム枠を嵌設し組み合わせる。よって、使用者は、ドラムの鼓膜を電子式のドラムパッドに取り替え、ドラムを電子ドラムに改装可能である。
【０００８】
電子式のドラムパッドは、直接にドラムのドラム枠を嵌設されている。組合せ、交換及び取り外しをする時、工具、螺子、あるいはボルトを使用する必要がないため、便利、迅速、かつ安定である。
【０００９】
電子式のドラムパッドの台座は、底部の周辺の枠体によってドラムのドラム枠の外縁に嵌設されている。ドラムのドラム枠の異なる寸法に応じて、異なる寸法の電子式のドラムパッドを製造可能である。
【図面の簡単な説明】
【００１０】
【図１】本考案の第一実施形態による電子式のドラムパッドを示す平面図である。
【図２Ａ】図１の２Ａ−２Ａ線断面図である。
【図２Ｂ】図１の２Ｂ−２Ｂ線断面図である。
【図３】本考案の第一実施形態による電子式のドラムパッドとドラムの組合せを示す側面図である。
【図４】本考案の第一実施形態による電子式のドラムパッドとドラムのドラム枠の組合せを示す断面図である。
【図５】本考案の第二実施形態による電子式のドラムパッドを示す平面図である。
【図６】図５の６−６線断面図である。
【図７】本考案の第三実施形態による電子式のドラムパッドを示す平面図である。
【図８】本考案の第四実施形態による電子式のドラムパッドの第一座体を示す平面図である。
【図９】本考案の第四実施形態による電子式のドラムパッドの第二座体を示す平面図である。
【図１０】本考案の第四実施形態による電子式のドラムパッドの組合せを示す断面図である。
【考案を実施するための形態】
【００１１】
（第一実施形態）
図１、図２Ａ及び図２Ｂに示すように、本考案の電子式のドラムパッドは、一体成形構造であり、一つの台座１を備える。重量を低減するための複数の板材レス区域２は、周縁に設置されている。台座１は、一つの上表面１０及び一つの下表面２０を有する。上に突き出る一つの枠縁１１は、上表面１０の周縁部に設置されている。一つの中心凹部１２は、上表面１０の中心に設置されている。一つの第一電子部材用溝１３は、中心凹部１２の溝底に設置されている。一つの第二電子部材用溝１４は、上表面１０のおける枠縁１１に接近する処に設置されている。下に突き出る一つの枠体２１は、下表面２０の周縁部に設置されている。一つの補強部２２は、枠体２１が下表面２０と隣接する片隅に形成されている。上述の台座１は、ゴム、あるいはシリカゲル材料で一体に形成されている。
【００１２】
一つの打撃区ブロック３０は、台座１の中心凹部１２の中に設置され、かつ全部の中心凹部１２に充填されている。打撃区ブロックの表面は、台座１の上表面１０と同一平面上にある。打撃区ブロック３０は、弾性材料で製造されている。上述の弾性材料は、ゴム及びシリカゲルを含み、ゴム及びシリカゲルに限らない。
【００１３】
打撃区ブロック３０の振動を検出するための一つの第一トリガー４０は、第一電子部材用溝１３の中に設けられている。枠縁１１の振動を検出するための一つの第二トリガー４１は、第二電子部材用溝１４の中に設けられている。第二トリガー４１は、遮蔽物４２に覆われている。遮蔽物４２は、ゴム、あるいはシリカゲル材料で作られ、第二電子部材用溝１４に充填されている。遮蔽物４２の表面は、台座１の上表面１０と同一平面上にある。ドラムスティックで打撃区ブロック３０、あるいは枠縁１１を打つ時、第一トリガー４０が打撃区ブロック３０の振動を検出する一方、第二トリガー４１が枠縁１１の振動を検出する。
【００１４】
図１及び図２Ｂに示すように、一つのコンセントボックス４３は、螺子（図に示さない）で台座１の側面に固定されている。コンセントボックス４３は、一つのコンセント４４及び信号を安定させるための電子回路基板（図に示さない）を有する。配線溝１６は、台座１の下表面２０に設置されている。第一トリガー４０及び第二トリガー４１の配線は、全て配線溝１６によってコンセント４４に接続されている。第一トリガー及び第二トリガーは、コンセント４４及びコンセントを接続する信号配線（図に示さない）によって、振動信号を一つのトリガーモジュールに（図に示さない）出力する。トリガーモジュールは、信号を設定された鼓膜の音、あるいはドラム枠の音に転換し、またスピーカー、あるいはイヤホーンによってアナログ音色を出力する。
【００１５】
図３及び図４に示すように、電子式のドラムパッドは、ドラム５０と組合せ、使用されている。ドラム５０がよく知られる楽器であるため、ここに詳しく述べなくても良い。ドラム５０は、大体一つの筒状のドラムシェル５１及びドラムシェル５１の両端に組合せドラムの鼓膜５２を引詰めるためのドラム枠５３を備える。本考案の電子式のドラムパッドは、ドラム枠５３と組合せ、枠体２１によってドラム枠５３の外部に嵌設されている。つまり、枠体２１の内壁は、ドラム枠５３の外壁に当接されている。ドラム５０をバスドラム、フロアタム、スネアドラム及びトムトムに分けるため、本考案の電子式のドラムパッドの直径は、バスドラム、フロアタム、スネアドラム及びトムトムの直径に応じて設定されている。枠体２１の内径は、バスドラム、フロアタム及びスネアドラムのドラム枠５３の外径に応じて設定されている。本考案の電子式のドラムパッドは、寸法が異なるドラムと合わせ使用され、またドラム枠５３の直径と合わせる枠体２１によって、ドラム枠５３をしっかりと結合する。
【００１６】
ある距離は、ドラム枠５３と組み合わせる電子式のドラムパッドの下表面とドラム５０の鼓膜５２との間に設定されている。よって、ドラムスティックで打撃区ブロック３０、あるいは枠縁１１を打つ時、ドラム５０の鼓膜５２を振動させない。
【００１７】
電子式のドラムパッドがドラムと組み合わせると、ドラムは、既に電子ドラムに転換された。ドラマーがドラムスティックで打撃区ブロック３０、あるいは枠縁１１を打つと、第一トリガー４０が打撃区ブロック３０の振動を検出する一方、第二トリガー４１が枠縁１１の振動を検出する。振動信号は、トリガーモジュールに伝送され、アナログの鼓膜の音、あるいはドラム枠の音に転換され、スピーカー、あるいはイヤホーンによってアナログ音色の形で出力される。
【００１８】
（第二実施形態および第三実施形態）
図５〜図７に示すように、本考案の第二実施形態及び第三実施形態による電子式のドラムパッドにおける、少なくとも一つの修飾溝１５は、打撃区ブロック３０以外の台座１の上表面１０に設置されてもよい。図に示すように、修飾溝１５の形状は、単環状、多重同心環状、あるいは他の幾何形状である。ＬＥＤランプアセンブリ６０及び電気回路ユニット（図に示さない）は、修飾溝１５の中に設置されてもよい。また、電気回路ユニット及び第一トリガー４０は、互いに結合する。第一トリガー４０が検出する時、ＬＥＤランプアセンブリ６０は、点く、あるいは点滅する。
【００１９】
（第四実施形態）
図８〜図１０に示すように、本考案の第四実施形態による電子式のドラムパッドの台座３は、一つの第一座体４が複数の螺子６によって一つの第二座体５を結合することで形成されている。
【００２０】
第一座体４は、中心に一つの打撃区ブロック３０を有する。打撃区ブロック３０は、弾性材料で作られている。上述の弾性材料は、ゴム及びシリカゲルを含み、ゴム及びシリカゲルに限らない。上に突き出る一つの枠縁１１は、第一座体４の上表面の周縁部に形成されている。
【００２１】
第一電子部材用溝１３は、第二座体５の上表面の中心に設置されている。一つの第二電子部材用溝１４、一つのコンセント溝１７及び配線溝１６は、第二座体５の周縁部に接近する処に設置されている。下に突き出る一つの枠体２１は、第二座体５の下表面の周縁部に形成されている。打撃区ブロック３０の振動を検出するための第一トリガー４０は、第一電子部材用溝１３の中に設置されている。枠縁１１の振動を検出するための第二トリガー４１は、第二電子部材用溝１４の中に設置されている。一つのコンセント４４及び信号を安定させるための電子回路基板（図に示さない）は、コンセント溝１７の中に設置されている。第一トリガー４０及び第二トリガー４１の配線は、全て配線溝１６によって、コンセント４４を接続する。第一トリガー及び第二トリガーが検出した振動信号は、コンセント４４及びコンセントを接続した信号配線によって、トリガーモジュールに出力されている。トリガーモジュールは、信号を設定された鼓膜の音、あるいはドラム枠の音に転換し、またスピーカー、あるいはイヤホーンによってアナログ音色を出力する。
【００２２】
第二座体５を一つのドラムフレーム（図に示さない）にロックするために、一つのロック穴７は、第二座体５の下表面の中心に設けられている。
【００２３】
本考案の第四実施形態による電子式のドラムパッドは、ドラム５０、あるいはドラムフレームと組合せ使用されている。ドラムと組み合わせる方式は、第一実施形態と同じである。電子式のドラムパッドは、第二座体５の枠体２１によって、ドラムのドラム枠を留める。
【符号の説明】
【００２４】
１    台座、
２    板材レス区域、
３    台座、
４    第一座体、
５    第二座体、
６    螺子、
７    ロック穴、
１０    上表面、
１１    枠縁、
１２    中心凹部、
１３    第一電子部材用溝、
１４    第二電子部材用溝、
１５    修飾溝、
１６    配線溝、
１７    コンセント溝、
２０    下表面、
２１    枠体、
２２    補強部、
３０    打撃区ブロック、
４０    第一トリガー、
４１    第二トリガー、
４２    遮蔽物、
４３    コンセントボックス、
４４    コンセント、
５０    ドラム、
５１    ドラムシェル、
５２    鼓膜、
５３    ドラム枠、
６０    ＬＥＤランプアセンブリ。
【図１】
0003192610.tif 000003
【図２Ａ】
0003192610.tif 000004
【図２Ｂ】
0003192610.tif 000005
【図３】
0003192610.tif 000006
【図４】
0003192610.tif 000007
【図５】
0003192610.tif 000008
【図６】
0003192610.tif 000009
【図７】
0003192610.tif 000010
【図８】
0003192610.tif 000011
【図９】
0003192610.tif 000012
【図１０】
0003192610.tif 000013